(57)【要約】本発明は、密閉された空間を有するマットレスの内部に温熱装置を設置し、この温熱装置を通じて密閉されたマットレス空間内で速やかに一定温度で加熱使用できるようにすると同時に、Ａ/Ｓが発生する可能性のある主な部分（部品）を一体化してボックス形態で分離することにより、Ａ/Ｓが簡単に行えるようにしたものである。このために、本発明は、内部には収納溝が形成されて背面には外部に突出されている連結部が形成され、左右側にはそれぞれ第１の空気吸入口が一体で形成された状態で、前記マットレス前面に固定設置される時に収納溝が外部との開放された状態で設置されているケーシングと、該ケーシングの収納溝で分離結合されて、切り離されたときの主要な部品が同時に分離されて簡単にＡ/Ｓが行われるように、内部にＰＴＣヒーター、送風ファン、コントロール部などが内蔵設置されているＡ/Ｓボックスと、一端は前記ケーシングの連結部に連結されて、他端は連結輪を介してスプリング側に連結され、温熱空気排出口がマットレス内部の後面に位置してスプリングと干渉されず、使用者の体重に対応できるように柔軟な材質でなされる空気リーダー管と、前記Ａ/Ｓボックス左右側面にそれぞれ位置してＡ/Ｓボックスがケース内部に挿入されると第１の空気吸入口と一致されて、高温の空気がＡ/Ｓボックス内部とマットレス内部を循環させるようにする第２の空気吸入口で構成することにその特徴がある。【選択図】図１
2013520223.tif 000002
【特許請求の範囲】
【請求項１】
内部にスプリング１１０が一定な間隔を置いて多数形成されて、外部と密閉された空間を有するスプリングタイプマットレス１００において、
内部には収納溝３１０が形成されて後面には外部に突き出される連結部３３０が形成されて、左右側にはそれぞれ第１空気吸入口３２０が一体で形成された状態で前記マットレス１００前面内部に固定設置される時に収納溝３１０が外部と開放された状態で設置されるケーシング３００と、
該ケーシング３００の収納溝３１０から分離結合されて、分離する時主要部品が同時に分離されて簡便にＡ/Ｓがなされるように内部にＰＴＣヒーター２３０、送風ファン２４０、コントロール部２１０などが内蔵設置されているＡ/Ｓボックス２００と、
一端は前記ケーシング３００の連結部３３０に連結されて、他端は連結輪４１０を通じてスプリング１１０の上下、左右側に連結されながら温熱空気排出口４２０がマットレス１００内部後面に位置してなされてスプリング１１０と干渉されないで使用者の体重に対応できるように柔軟な材質でなされる空気リーダー管４００と、
前記Ａ/Ｓボックス２００左右側面にそれぞれ位置してＡ/Ｓボックス２００がケーシング３００内部に挿入されれば、第１空気吸入口３２０と一致して高温の空気がＡ/Ｓボックス２００内部とマットレス１００内部を循環されるようにする第２空気吸入口２２０と、
で構成されることを特徴とする温熱機能を有するスプリングタイプマットレス。
【発明の詳細な説明】
【技術分野】
【０００１】
本発明は、温熱機能を有するスプリングタイプマットレスに関するものであり、より詳細には、密閉された空間を有するマットレス内部に温熱装置を設置して、この温熱装置を通じて密閉されたマットレス空間内部で速かに一定温度で加熱して使用されるようにすると同時にＡ/Ｓが発生されることができる主要部分(部品)を一体化してボックス形態で分離されるようにすることで、Ａ/Ｓが簡便になされるようにした温熱機能を有するスプリングタイプマットレスに関するものである。
【背景技術】
【０００２】
一般に、家庭で使用する温熱マットは、大きく電気カーペットと健康マットで分けられるが、これらは共通的に電気カーペットと健康マット上に玉、セラミックス等を付着して、その下端に熱線を配線して一定な温度で加熱して使っているし、使用者が横になることができるように一定な厚さを有して直四角形の形状で構成されている。
【０００３】
このような従来の温熱マットを利用して使用者の身体を一定温度で加熱されるようにすることで所期の目的を達成することができるという利点はあるが、従来の温熱マットは大部分が熱線を利用して使用者の身体を加熱している。したがって、熱線から発生される電磁波によって使用者の身体に被害を与える諸般の問題点があった。
【先行技術文献】
【特許文献】
【０００４】
【特許文献１】特開平４−１０８４１１号公報
【特許文献２】大韓民国特許２０−２０１０−０００６７１３号公報
【特許文献３】大韓民国特許２０−１９９５−００１６５０５号公報
【発明の概要】
【発明が解決しようとする課題】
【０００５】
本発明は、前記のような諸般の問題点を勘案して案出したものであり、密閉された空間を有するマットレス内部に温熱装置を設置して、この温熱装置を通じて密閉されたマットレス空間内部で速かに一定温度で加熱して使用されるようにすると同時にＡ/Ｓが発生されることができる主要部分(部品)をボックス形態で一体化して分離するようにすることでＡ/Ｓが簡便になされるようにした温熱機能を有するスプリングタイプマットレスを提供することにある。
【課題を解決するための手段】
【０００６】
本発明は、前記のような目的を達成するための手段として、内部には収納溝が形成されて後面には外部に突き出される連結部が形成されて、左右側にはそれぞれ第１空気吸入口が一体で形成された状態で前記マットレス前面内部に固定設置される時に収納溝が外部と開放された状態で設置されるケーシングと、
前記ケーシングの収納溝から分離結合されて分離される時に主要部分(部品)が同時に分離されて、簡便にＡ/Ｓがなされるように内部にＰＴＣヒーター、送風ファン、コントロール部、などが一体で内蔵設置されているＡ/Ｓボックスと、
一端は前記ケーシングの連結部に連結されて他端は連結輪を通じてスプリング側に連結されながら温熱空気排出口がマットレス内部後面に位置して、スプリングと干渉されないで使用者の体重に対応できるように柔軟な材質でなされる空気リーダー管と、
前記Ａ/Ｓボックス左右側面にそれぞれ位置してＡ/Ｓボックスがケーシング内部に挿入されれば第１空気吸入口と一致して高温の空気がＡ/Ｓボックス内部とマットレス内部を循環されるようにする第２空気吸入口が左右側に構成されることをその技術的構成上の基本特徴とする。
【発明の効果】
【０００７】
以上で説明したところのように本発明によれば、密閉された空間を有するマットレス内部に温熱装置が設置されていて、この温熱装置はＰＴＣヒーターによって高温の空気が発生されれば空気リーダー管を通じて速かにマットレス後面に排出されて、後面に排出された高温の空気は左、右側第１、第２空気吸入口に流入される過程でマットレス内部全体を均一に加熱させるものである。
また、温熱機能を具現する主要部品であるＰＴＣヒーター、送風ファン、コントロール部などは、ボックス形態でなされたＡ/Ｓボックスに一体に装置されて、このＡ/Ｓボックスはケーシングで分離組み立てが可能である。したがって、Ａ/Ｓが発生されればＡ/Ｓボックスのみをマットレスで別に分離可能であるためにＡ/Ｓが簡便になされることができるものである。
【図面の簡単な説明】
【０００８】
【図１】本発明による温熱機能を有するスプリングタイプマットレスの斜視図である。
【図２】本発明による温熱機能を有するスプリングタイプマットレスの分離斜視図である。
【図３】本発明による温熱装置の正面斜視図である。
【図４】本発明による温熱装置の背面斜視図である。
【図５】本発明による温熱装置の分離斜視図である。
【図６】本発明によるＡ/Ｓボックスがケーシングから分離される状態を示した斜視図である。
【図７】本発明による温熱装置に空気リーダー管が連結された状態を示した背面斜視図である。
【発明を実施するための形態】
【０００９】
以下、本発明の望ましい実施例を添付図面を参照してより詳細に説明すれば次のようである。
本発明に使用されるマットレス１００は、内部にスプリング１１０が一定な間隔を置いて多数形成されて、外部と密閉された空間を有する公知構成のマットレスが使用される。
【００１０】
マットレス１００に設置される本発明の温熱装置は、図１乃至図７でのように内部には収納溝３１０が形成されて後面には外部に突き出される連結部３３０が形成されて、左右側にはそれぞれ第１空気吸入口３２０が一体で形成された状態で前記マットレス１００の前面内部に固定設置される時に収納溝３１０が外部と開放された状態で設置されるケーシング３００と、該ケーシング３００の収納溝３１０で分離結合されて分離する時に主要部品が同時に分離されて簡便にＡ/Ｓがなされるように内部にＰＴＣヒーター２３０、送風ファン２４０、コントロール部２１０などが一体で内蔵設置されているＡ/Ｓボックス２００と、一端は前記ケーシング３００の連結部３３０に連結されて、他端は連結輪４１０を通じてスプリング１１０側に連結されながら温熱空気排出口４２０がマットレス１００内部後面に位置してスプリング１１０と干渉されないで使用者の体重に対応されるように柔軟な材質でなされる空気リーダー管４００と、前記Ａ/Ｓボックス２００左右側面にそれぞれ位置してＡ/Ｓボックス２００がケーシング３００内部に挿入されれば第１空気吸入口３２０と一致して高温の空気がＡ/Ｓボックス２００内部とマットレス１００内部を循環されるようにする第２空気吸入口２２０で構成される。
【００１１】
前記Ａ/Ｓボックス２００には、マットレス１００が温熱機能を有することができるようにＰＴＣヒーター２３０、送風ファン２４０、コントロール部２１０及び状況によって各種機能を有する電気的な部品が設置される。
ＰＴＣヒーター２３０は、Ａ/Ｓボックス１００の背面に形成された連結部３３０側に形成されて、送風ファン２４０から流入された空気を一定な温度で加熱する役割を遂行して、送風ファン２４０は前記ＰＴＣヒーター２３０と第１、第２空気吸入口３２０、２２０の間に設置されてマットレス１００内部に留まる空気を循環させる役割を遂行する。
【００１２】
Ａ/Ｓボックス２００前面に形成されるコントロール部２１０は、ディスプレイ窓、オン/オフスイッチ、温度調節機、タイマーなどが電気的に設置されている。このようなコントロール部２１０にはディスプレイ窓、オン/オフスイッチ、温度調節機、タイマーが設置使用されることで限定されるものではなくて、状況によって他の機能を有する部品がさらに設置使用されるか、または部分的に選択して使用されることができることを明らかにしておく。
【００１３】
空気リーダー管４００は、一定な長さを有する管形態の物が使用されるが、一端はケーシング３００の連結部３３０に連結されて、他端は連結輪４１０を通じてスプリング１１０の上下、左右側に連結されながら温熱空気排出口４２０がマットレス１００内部の後面に位置する。このような構成は一定温度で加熱された高温の空気が排出される過程で熱損室なしに迅速にマットレス１００の後面(使用者の足部)に排出されて、排出された高温の空気はマットレス１００内部全体を均一に加熱しながら第１、第２空気吸入口３２０、２２０に吸入される。
【００１４】
また、前記のような空気リーダー管４００の材質は、柔軟な材質で形成される。仮に、金属材や合成樹脂のような堅い材質でなされると、設置時に周辺スプリングと干渉されるのみならず使用者が横になる時にスプリングの弾性役割を制限するようになる。したがって、空気リーダー管４００は、ウレタンフィルム、レザー原緞、織物原緞などのような柔軟で熱に変形がない材質で形成することが望ましい。
【００１５】
このように構成された本発明を使用するためには、先ず、第１空気吸入口３２０、収納溝３１０、連結部３３０が形成されたケーシング３００と、ＰＴＣヒーター２３０、送風ファン２４０、コントロール部２１０などのような主要部品が装置されたＡ/Ｓボックス２００と、温熱空気排出口４２０、連結輪４１０が形成された空気リーダー管４００をそれぞれ準備する。
【００１６】
以後、空気リーダー管４００の一端を連結部３３０に連結した後、ケーシング３００をマットレス１００内部前面に固定設置する。この時、収納溝３１０は外部と開放された状態で設置して、空気リーダー管４００の末端は連結輪４１０を利用してスプリング１１０の上下、左右側に連結すれば良い。
【００１７】
前記のような状態でＡ/Ｓボックス２００を収納溝３１０に挿入すれば、第１空気吸入口３２０と第２空気吸入口２２０がお互いに連通されて、Ａ/Ｓボックス２００はケーシング３００内部に挿入固定される。以後、Ａ/Ｓボックス２００を電気的に連結すれば温熱機能を遂行するように組み立てが完了する。
【００１８】
本発明を使用するためには先ず、コントロール部２１０を利用して温度、時間などを設定した後電源を印加させれば、送風ファン２４０が作動しながらマットレス１００内部に留まる空気を第１、第２空気吸入口３２０、２２０側に吸いこんで、吸入された空気はＰＴＣヒーター２３０を通過しながら一定温度で加熱される。
【００１９】
この時、加熱された空気は、空気リーダー管４００の温熱空気排出口４２０に排出されて排出された高温の空気は、マットレス１００内部を均一に加熱しながら第１、第２空気吸入口３２０、２２０に流入される循環過程を経る。
【００２０】
前記のような状態でマットレス１００を長期間使っている途中Ａ/Ｓが発生されれば、大部分が電気的な不良及び主要部品に係わるものであり、本発明は、電気部品及び機械部品に該当する主要部品がＡ/Ｓボックスに一体で装置されている。したがって、Ａ/Ｓ発生時に本発明は、Ａ/Ｓボックス２００をケーシング３００から分離した後、前記したＡ/ＳボックスのみをＡ/Ｓセンターに移動可能であるために簡便で速かにＡ/Ｓを受けることができるものである。
【図１】
2013520223.tif 000003
【図２】
2013520223.tif 000004
【図３】
2013520223.tif 000005
【図４】
2013520223.tif 000006
【図５】
2013520223.tif 000007
【図６】
2013520223.tif 000008
【図７】
2013520223.tif 000009
【国際調査報告】
2013520223.tif 000010
2013520223.tif 000011
2013520223.tif 000012
2013520223.tif 000013